(57)【特許請求の範囲】
【請求項１】
ディスクカートリッジに内蔵されたディスク状の記録媒体を駆動し、情報の書き込み・読み取りを行うものであって、
シャーシフレームと、
前記シャーシフレーム内部に設けられ、手動で回転されることにより、前記ディスクドライブ装置の所定の機構を作動させる手動操作部材と、
前記シャーシフレーム前面に形成された、前記手動操作部材を前記ディスクドライブ装置外部より操作するための操作孔と、
前記操作孔内面に形成されたねじ部に係合する係合部および前記操作孔より大きい径を有する閉塞部を有し、前記所定の機構を使用しない時には前記係合部を前記操作孔に係合させることにより前記操作孔を塞ぐ蓋部材と、
所定の厚みを持ち、前記操作孔に対応した位置に開口部が形成され、前記シャーシフレーム前面に装着されたフロントベゼルと、を有し
前記操作部材と前記閉塞部の工具を当てつける部分の形状をほぼ同一形状とすることにより、前記蓋部材の前記シャーシフレームに対する取り付け・取り外しおよび前記操作部材の操作を同一工具で行うことを可能とすると共に、
前記閉塞部の厚みを前記所定の厚みより小さくしたこと、
を特徴とするディスクドライブ装置。
【請求項２】
前記所定の機構は、装填されたディスクカートリッジを手動排出させる排出機構であることを特徴とする、請求項１に記載のディスクドライブ装置。
【発明の詳細な説明】
【０００１】
【産業上の利用分野】
本発明は、ディスク状の情報記録媒体を内蔵するディスクカートリッジを駆動するためのディスクドライブ装置に関する。
【０００２】
従来より、光ディスク・磁気ディスク等を記録媒体として情報の記録・再生を行う装置が知られている。このような情報記録・再生装置においては、前記のようなディスク状の記録媒体は、塵や埃の付着を避けるため、通常ディスクカートリッジに収納されている。情報記録・再生装置はディスクドライブ装置を有しており、情報の記録・再生時には、ディスクカートリッジがディスクドライブ装置に挿入される。ディスクドライブ装置は、ディスクカートリッジに収納されたディスクを回転させ、光ピックアップ、磁気ピックアップ等により情報の書込みあるいは読取りを行う。
ディスクドライブ装置は、装置に挿入されたディスクカートリッジを装置内部の、情報の書込み・読取りが行われるロード位置に装填し、また、ロード位置にあるディスクカートリッジを手で引き出せる位置まで排出させる、ローディング機構を備えている。
ローディング機構、特に、ディスクカートリッジを排出するための機構がモータによって作動する場合、故障や停電などによりモータが作動しなくなると、ディスクカートリッジが取り出せなくなる。このため、モータによってディスクカートリッジを排出させる機構のものは、通常、手動でディスクカートリッジを排出させるための操作部材が設けられている。この操作部材は、ディスクドライブ装置内部に設けら、通常は使用することはないが、停電・故障時には、装置外壁に形成された操作孔から工具を挿入して操作部材を操作してディスクカートリッジを取り出すことができる。
【０００３】
通常時、すなわち操作部材を操作する必要の無いときには、ディスクドライブ装置内部に塵・埃が侵入するのを防ぐために、操作孔を塞いでおくことが望ましい。このため、従来より、フロントベゼルやシャーシフレームの操作孔にシート状のシール部材を設け、シール部材を介して操作部材を操作するよう構成された装置や、シャーシフレームとフロントベゼルの操作孔に弾性体でできた蓋を設けた装置が提案されてきた。
【０００４】
【発明が解決しようとする課題】
しかし、フロントベゼルの操作孔あるいはシャーシフレームの操作孔にシート状のシール部材を設けた場合、工具でシートを変形させたり、シート上のスリットに工具を通したりする必要があり操作が複雑になるといった問題がある。
また、フロントベゼルとシャーシフレームの両方の操作孔に弾性体でできた蓋を設けた場合、二重の蓋を設けることにより部品構成や排出のための操作が複雑になるといった問題がある。
【０００５】
【発明の目的】
本発明の目的は、簡単な機構で、装置に設けられた操作孔からの通常時の塵の侵入を防ぎ、また、非常時の取り出し操作が容易な構造のディスクドライブ装置を提供することである。
【０００６】
【課題を解決するための手段】
前記の課題を解決するために、本発明のディスクドライブ装置は、ディスクカートリッジに内蔵されたディスク状の記録媒体を駆動し、情報の書き込み・読み取りを行うものであって、シャーシフレームと、前記シャーシフレーム内部に設けられ、手動で回転されることにより、前記ディスクドライブ装置の所定の機構を作動させる手動操作部材と、前記シャーシフレーム前面に形成された、前記手動操作部材を前記ディスクドライブ装置外部より操作するための操作孔と、前記操作孔内面に形成されたねじ部に係合する係合部および前記操作孔より大きい径を有する閉塞部を有し、前記所定の機構を使用しない時には前記係合部を前記操作孔に係合させることにより前記操作孔を塞ぐ蓋部材と、所定の厚みを持ち、前記操作孔に対応した位置に開口部が形成され、前記シャーシフレーム前面に装着されたフロントベゼルと、を有し、前記操作部材と前記閉塞部の工具を当てつける部分の形状をほぼ同一形状とすることにより、前記蓋部材の前記シャーシフレームに対する取り付け・取り外しおよび前記操作部材の操作を同一工具で行うことを可能とすると共に、前記閉塞部の厚みを前記所定の厚みより小さくしたこと、を特徴とする。
【０００７】
【実施例】
以下、本発明の実施例を図面に基づいて説明する。
図１は本発明の実施例のディスクドライブ装置Ａを示す斜視図である。
ディスクドライブ装置Ａは、情報記録・再生装置において、カートリッジに収納されたディスク状の記録媒体に対し、情報の書込・読取りを行うものである。ディスクドライブ装置Ａは、シャーシフレーム１と、シャーシフレーム前面１ａにねじ等により固定されるフロントベゼル２を有する。シャーシフレーム前面１ａにはカートリッジを挿入するための挿入口４が形成されており、挿入口４には、装置内への塵・埃の侵入を防ぐためのシャッター７が取り付けられている。シャーシフレーム前面１ａには、さらに、装置に挿入されたディスクカートリッジを排出させるためのイジェクトスイッチ６が設けられている。また、ディスクドライブ装置Ａ内部には、停電時などに手動でディスクを排出させるための手動排出機構（後述）が設けられ、シャーシフレーム前面１ａに手動排出機構を操作するための開口が形成されている。通常動作時には手動排出機構を操作することはないため、装置外部からの塵・埃の侵入を防ぐために、この手動排出用の開口は蓋部材３で塞がれている。シャーシフレーム前面１ａに取り付けられるフロントベゼル２には、挿入口４に対応した位置に、ディスクカートリッジを挿入する挿入口５が設けられている。また、手動排出用の開口（蓋部材３）およびイジェクトスイッチ６に対応した位置にもそれぞれ開口８、９が形成されている。
【０００８】
ディスクカートリッジの先端でシャッター７を押し開きつつディスクカートリッジをディスクドライブ装置Ａに挿入すると、後述するローディング機構により、ディスクカートリッジはロード位置まで移動される。ディスクカートリッジがロード位置に装着されると、カートリッジ内部の記録媒体に対し、情報の書込・読み取りが可能となる。
イジェクトスイッチ６を押すことにより、ロード位置にあるディスクカートリッジが、ローディング機構により、手で取りだし可能な排出位置まで移動される。
【０００９】
図２はディスクドライブ装置１Ａのローディング機構の概略を示す分解斜視図である。
ローディング機構は、シャーシフレーム１に固定されるガイドフレーム１２、矢印Ａ１・Ａ２方向に摺動可能な摺動カム板１３、ディスクカートリッジを保持し、矢印Ａ１・Ａ２方向及び矢印Ｄ１・Ｄ２方向に移動可能なホルダー１４、そして、モータ２２、モータ２２の駆動軸２３の端部に固定された手動用イジェクトロッド２１、モータの回転をカム板１３の往復運動に変換し、伝達するギア列２０等から構成されている。
【００１０】
ギア列２０は、モータ２２の駆動軸２３に固定されたウォームギア２４と歯合するウォームホイール２５、ウォームホイール２５と同軸に固定されているピニオンギア２６及び摺動カム板１３の底板１３１にビス１６によって固定されるラックギア２７から構成されている。
摺動カム板１３の側板１３２にはカム溝１３３が設けられており、ホルダー１４の外側面に固定されているカムフォロワ１４１がカム溝１３３に挿入され、さらに、ガイドフレーム１２に形成されたガイド溝１１２に摺動自在に挿入されている。ガイド溝１１２は、ディスクカートリッジ挿入方向に延び、さらに、挿入されたディスク面と直交する方向に所定量延びた、ほぼＬ字形状となっている。
【００１１】
ディスクカートリッジの挿入時には、モータ２２の駆動軸２３を矢線Ｂ１方向に回転させることにより、ウォームホイール２５及びピニオンギア２６を矢線Ｃ１方向に回転させ、ラックギア２７及び摺動カム板１３を矢印Ａ１方向に移動する。ディスクカートリッジを保持したホルダー１４は、ガイド溝１１２に沿ってまずＡ１方向に移動し、次いで矢線Ｄ１方向に移動して、ディスクカートリッジは前記ロード位置に装着される。
【００１２】
ディスクカートリッジの排出時には、ディスクカートリッジがロード位置にあるとき、イジェクトスイッチ６を押すと、モータ２２の駆動軸２３を矢線Ｂ２方向に回転させることにより、ウォームホイール２５及びピニオンギア２６を矢線Ｃ２方向に回転させ、ラックギア２７及び摺動カム板１３を矢印Ａ２方向に移動させる。ホルダー１４はまず矢印Ｄ２方向に、次いで矢印Ａ２方向に移動し、ディスクカートリッジはその端部が挿入口４から所定量突出した、取り出し位置に移動する。
【００１３】
故障時又は停電時等、モータ２２が作動しない場合は、ドライバー等の工具によりイジェクトロッド２１を操作して、手動によりディスクカートリッジを排出させることができる。イジェクトロッド２１は、一方の端部にウォームギア２４が固定されたモータ２２の駆動軸２３の他方の端部（シャーシ前面１ａ側端部）に固定されている。イジェクトロッド２１を矢印Ｂ２方向に回転させることにより、駆動軸２３を介してウォームギア２４を矢印Ｂ２方向に回転させ、モータ駆動による排出の際と同様にして、ディスクカートリッジを取り出し位置に移動させることができる。
【００１４】
図３はイジェクトロッド２１の近傍の部分断面図である。
図３に示すように、シャーシフレーム１にはイジェクトロッド２１に対向する位置に、イジェクトロッド２１を回動操作する工具を挿入するための操作孔１１が形成されている。イジェクトロッド２１を操作する時以外は、操作孔１１は蓋部材３によって塞がれている。
本実施例においては、蓋部材３および操作孔１１はねじにより係合する構成となっている。操作孔１１はフランジ状に加工され、その内面に雌ねじが切られた係合部１１ａを有し、また、蓋部材３は、雄ねじの切られた係合部３ａと操作孔１１より径の大きい閉塞部３ｂを有している。通常は、係合部３ａが係合部１１ａにがねじ締めされ、さらに閉塞部３ｂが操作孔１１の表面を塞いで、操作孔１１からの塵・埃のディスクドライブ装置Ａ内部への侵入を防いでいる。
イジェクトロッド２１はすり割付き頭を持ち、蓋部材３もマイナスねじとして構成されているため、蓋部材３の取り付けや取り外しとイジェクトロッド２１の回動操作を一本のマイナスドライバのみで行うことができ、操作は極めて簡便である。なお、イジェクトロッドおよび蓋部材を、共にプラスねじとしても良い。
【００１５】
フロントベゼル２には、シャーシフレーム１の操作孔１１に対応した操作孔８が形成されている。蓋部材３の閉塞部３ｂの厚みはフロントベゼル２の厚みより小さくなっており、蓋部材３によって操作孔１１を塞いだ状態では、ねじ３の表面はフロントベゼルの表面よりも突出することはなく、誤操作によってねじ３を外してしまうことがない。
【００１６】
モータ故障時や停電時にディスクカートリッジを取り出す時は、フロントベゼル２の導入孔８内の蓋部材３をドライバー等の工具を用いて回し、取り外す。蓋部材３を取り外した後、前述したように内部のイジェクトロッド２１を回動操作してディスクカートリッジを取り出す。ディスクカートリッジを取り外した後は、再び蓋部材３を取り付ける。
【００１７】
【発明の効果】
以上説明したように、本発明によれば、シャーシフレームの操作孔を塞ぐ蓋をねじ締めにより装着する構成とすることにより、通常時、装置内部に操作孔を通じて塵が侵入するのを防ぐことができる。しかも、蓋部材の頭部を操作孔より大径とすることにより、確実にかつ効果的に操作孔を塞ぐことが可能である。さらに、蓋部材の取り外しは単にねじを弛めるだけで足り、しかもねじを弛めるための工具と、シャーシフレーム内部の操作部材を操作する工具とを同一の工具とすることができるため、ディスクカートリッジの手動取り出し操作が極めて簡便になる。
さらに、ねじの表面がフロントベゼルの表面より奥であるため、誤動作によるねじの外れを防ぐことができる。
【図面の簡単な説明】
【図１】本発明の実施例を示す斜視図である。
【図２】本発明の実施例を示す分解斜視図である。
【図３】本発明の実施例を示す部分断面図である。
【符号の説明】
１                          シャーシフレーム
２                          フロントベゼル
３                          蓋部材
３ａ                  係合部
３ｂ                  閉塞部
４                          挿入口
５                          挿入口
８                          開口
１１                          操作孔
１１ａ                  係合部
１２                          ガイドフレーム
１１２                    ガイド溝
１３                          摺動カム板
１３１                    底板
１３２                    側板
１４                          ホルダー
１４１                      ガイドピン
２０                          ギア列
２４                    ウォームギア
２５                    ウォームホイール
２６                    ピニオンギア
２７                    ラックギア
２１                          イジェクトロッド
２２                          モータ
２３                          モータの駆動軸
【図１】
0003559321.tif 000002
【図２】
0003559321.tif 000003
【図３】
0003559321.tif 000004